(57)【要約】      （修正有）【課題】劣化して粉塵を放出するセメント系外装材よりなる既存の外装を、低いコストで、施工期間の短縮を図って改修するための方法に関するものである。【解決手段】既存の外装α３を改修する方法において、既存の外装α３上に構造用面材Ｃを固定し、構造用面材Ｃ上に新規の外装Ａを現場発泡系樹脂材Ｄにより接着固定する外装の改修方法である。【選択図】図７
2007113191.tif 000002
【特許請求の範囲】
【請求項１】
既存の外装を改修する方法において、既存の外装上に構造用面材を固定し、該構造用面材上に新規の外装を現場発泡系樹脂材により接着固定することを特徴とする外装の改修方法。
【発明の詳細な説明】
【技術分野】
【０００１】
本発明は、劣化して粉塵を放出するセメント系外装材よりなる既存の外装を、低いコストで、施工期間の短縮を図って改修するための方法に関するものである。
【背景技術】
【０００２】
この種外装を改修するには、従来は既存の外装材を全部取り去り、その下地上に必要によりアスファルトルーフィング等の防水シートを施設し、そのシート上に各種屋根材を施工していくものであった。また、断熱材を介して新規の外装材を施工する工法も開発されている。特許文献１、２参照。
【０００３】
【特許文献１】特開２００１−２８８８５６号公報
【特許文献２】特開２００１−３２９６６０号公報
【発明の開示】
【発明が解決しようとする課題】
【０００４】
しかしながら、既存の外装材を取り去るには、多大の費用、時間がかかると共に、残材が多量に出るものであった。また、近年は労働力不足が大きな問題となってきており、今後は労働力不足を考えずに改修方法を見いだすことはできなくなってきている。さらに、近年の酸性雨等の影響により、セメントやスレートの屋根材は劣化が著しく進んでおり、屋根材の割れや屋根材の風化による構成材料（例えば、セメント、石綿等）の飛散が発生し始めている。このために、劣化した屋根材を撤去する改修方法では作業者だけでなく近隣の住民にとってもセメントや石綿等の粉塵飛散や撤去物の処理が懸念されている。また、特許文献１は既存屋根上に塗布されたウレタン樹脂にて断熱材を固定し、その上に屋根板材を形成した工法であり、特許文献２は波形スレート既設屋根上にウレタン樹脂にて波形スレート既設屋根と略同一な断熱材を固定し、その上に屋根板材を形成する構造であるが、施工性、施工期間の点で、コスト高となる問題があった。
【課題を解決するための手段】
【０００５】
本発明はこのような欠点を解決するために、既存の外装を改修する方法において、既存の外装上に構造用面材を固定し、構造用面材上に新規の外装を現場発泡系樹脂材により接着固定することを特徴とする外装の改修方法を提供するものである。
【発明の効果】
【０００６】
本発明に係る外装の改修方法によれば、（１）既存の外装を取り去ることなく、その上に形成することができるため、施工が簡単で、残材も出ず、施工期間も大幅に短縮できる改修方法となる。（２）残材が出ず、残材除去時に発生するほこり等の有害物質を放出することがない。（３）既存の屋根の全面が現場発泡系樹脂材で覆われることにより、劣化した屋根材の粉塵の飛散が防止されると共に屋根材の劣化が抑えられ、構造全体の断熱性、気密性、防水性、防音性、防火性、耐火性等を向上させる。（４）現場発泡系樹脂材で既存の外装を覆うために、新規の外装に防水機能、気密機能を特に付加する必要がない。（５）新規の外装の形状が単純な物でも新規の外装として機能する。（６）新規の外装同士を連結するジュイント部材を必要としない。（７）新規の外装を釘で固定する必要がなく施工性が向上する。（８）構造用面材を形成したために、強度が向上し、耐震性が向上する。等の特徴、効果がある。
【発明を実施するための最良の形態】
【０００７】
以下に図面を用いて本発明に係る外装の改修方法の一実施例について詳細に説明する。図１〜図６は上記改修方法の施工方法を示す説明図、図７は施工状態を示す説明図、図８（ａ）〜（ｉ）は新規の外装Ａを示す斜視図、図９（ａ）〜（ｄ）、図１０（ａ）〜（ｄ）は、施工順序示す説明図であり、既存の外装α（図では屋根を示す）、新規の外装Ａ、屋根面Ｂ、構造用面材Ｃ、現場発泡系樹脂材Ｄ、合成樹脂発泡体層Ｅとから構成されているものである。
【０００８】
まず、施工例を通して本発明に係る外装の改修方法について説明する。図１に示すような既存の外装α上に、図２に示すように構造用合板からなる構造用面材Ｃを全面に固定する。次に、図３に示すように構造用面材Ｃ上全面に現場発泡系樹脂材Ｄを吐出し、その後図４〜図７に示すように新規の外装Ａを現場発泡系樹脂材Ｄに接着性がある時間内に接着固定し、合成樹脂発泡体層Ｅで充填して施工する。
【０００９】
この工程を、図９（ａ）〜（ｄ）、図１０（ａ）〜（ｄ）に示すような順序で随時施工し、新規の屋根面よりなる新規の外装Ａを形成するものである。勿論、図のように横張りの新規の外装Ａを施工するには上方向（棟方向）に向かって施工を進めるが、縦張りで施工する新規の外装Ａを施工するには、図示しないが横方向に向かって施工を進めるものである。
【００１０】
既存の外装αは野地板α１ 、アスファルトルーフィングα２ 、既存外装材α３ 等よりなる構造からなるものであり、改修が必要な位に古くなった屋根である。さらに詳説すると、既存外装材α３はセメントを主原料とするものであり、雨（酸性雨）、風、太陽光、紫外線、等により経時的に劣化し、表面が粉状になり粉塵を撒き散らすようになった外装材（所謂、新生瓦）で、具体的には石綿スレート（彩色石綿スレート、波形石綿スレート）、セメント板、等である。
【００１１】
新規の外装Ａは金属系屋根材、金属系瓦屋根材、瓦屋根材、無石綿彩色スレート屋根材、無石綿波形スレート屋根材、セメント系屋根材、等であり、特に形状が規定されるものではない。なお、新規の外装Ａの一例としては、図８（ａ）〜（ｉ）に示すような新規の外装Ａである。
【００１２】
屋根面Ｂは、既存外装材α３が施工された既存の外装αの改修作業施工面である。
【００１３】
構造用面材Ｃは、例えば構造用合板、パーティクルボード、構造用パネル（ＯＳＢ）、ハードボード、硬質木片セメント板、せっこうボード、せっこうラスボード、シージングボード（シージングインシュレーションボード）、ラシスート、ＭＤＦ、等である。特に、構造用面材１４の一例としての構造用合板は、構造用合板１級（特類・１類）でＫプライと呼ばれるものが好ましいものである。その寸法は厚さ７．５〜３０ｍｍ、幅＝９１０・１２２０ｍｍ等、長さ＝１８２０・２４３０・２７３０ｍｍ等である。また、構造用面材１４として構造用合板の構造用合板２級（特類・１類）を用いることもでき、これは１級と同様に使用されるが針葉樹合板が主としたものである。その寸法は厚さ＝５．５〜２４ｍｍ、幅＝９１０・１２２０ｍｍ等、長さ＝１８００・１８２０・２４３０・２７３０ｍｍ等である。なお、外装用には「特類」を使用すると良いものである。勿論、シックハウス症候群対策として、低ホルムアルデヒド化されたホルムアルデヒド放散レベルＦ☆☆☆☆、またはＦ☆☆☆である構造用合板を使用しても良いものである。
【００１４】
構造用面材Ｃは図２に示すように、既存の外装α上（屋根面Ｂ上）に釘等の固定具βを介して隙間無く固定されるものである。
【００１５】
現場発泡系樹脂材Ｄは図３に示すように、施工現場において構造用面材Ｃ上に吹き付けして厚さ５〜６０ｍｍ位に形成することにより、主に接着材、断熱材、気密材、密閉材、防音材、等として機能し、施工は断熱欠損部、隙間が形成できないように充填するものである。具体例としては、ポリウレタンフォーム、ポリイソシアヌレートフォーム、フェノールフォーム、塩化ビニルフォーム、ポリエチレンフォーム、ポリスチレンフォーム、ユリアフォーム、等からなるものである。
【００１６】
さらに上記フォームをマトリックスとして、三酸化アンチモン、ハロゲン化合物、りん酸エステル、水酸化アルミニウム、モリブデン化合物や亜鉛化合物等の難燃材を混入し、防火性、耐火性を向上することもできるものである。
【００１７】
合成樹脂発泡体層Ｅは現場発泡系樹脂材Ｄを吐出して発泡・固化した合成樹脂発泡体であり、構造用面材Ｃ上全面に形成されるように、現場発泡系樹脂材Ｄを構造用面材Ｃ上に吐出して合成樹脂発泡体層Ｅを形成するものである。
【００１８】
合成樹脂発泡体層Ｅは構造用面材Ｃと新規の外装Ａとの接着材として機能すると共に、屋根全体の断熱性、気密性、防水性、防火性、耐火性、防音性、等を向上させるものである。勿論、構造用面材Ｃと新規の外装Ａとが現場発泡系樹脂材Ｄにより接着固定されるために、新規の外装Ａを固定するための固定具が必要なく、施工性が向上するものである。
【００１９】
現場発泡系樹脂材Ｄで構造用面材Ｃを覆うために、新規の外装Ａに防水機能、気密機能を特に付加する必要が無く、新規の外装Ａの形状が単純な物でも新規の外装Ａとして使用することができるものである。
【００２０】
以上説明したのは、本発明に係る外装の改修方法の一実施例に過ぎず、既存壁材上に本発明に係る外装の改修方法を形成することもできるものである。また、新規の外装Ａを、釘等の固定具で躯体に固定することにより、劣化した既存外装材α３の悪影響を排除し、新規の外装Ａの取付強度を向上することもできるものである。
【図面の簡単な説明】
【００２１】
【図１】本発明に係る外装の改修方法の施工状態を示す説明図である。
【図２】本発明に係る外装の改修方法の施工状態を示す説明図である。
【図３】本発明に係る外装の改修方法の施工状態を示す説明図である。
【図４】本発明に係る外装の改修方法の施工状態を示す説明図である。
【図５】本発明に係る外装の改修方法の施工状態を示す説明図である。
【図６】本発明に係る外装の改修方法の施工状態を示す説明図である。
【図７】本発明に係る外装の改修方法の代表例を示す説明図である。
【図８】本発明に係る外装の改修方法に用いられる新規の外装の代表例を示す説明図である。
【図９】本発明に係る外装の改修方法の施工順序を示す説明図である。
【図１０】本発明に係る外装の改修方法の施工順序を示す説明図である。
【符号の説明】
【００２２】
Ａ  新規の外装
Ｂ  屋根面
Ｃ  構造用面材
Ｄ  現場発泡系樹脂材
Ｅ  合成樹脂発泡体層
α  既存の外装
β  固定具
α１   野地板
α２   アスファルトルーフィング
α３   既存外装材
【図１】
2007113191.tif 000003
【図２】
2007113191.tif 000004
【図３】
2007113191.tif 000005
【図４】
2007113191.tif 000006
【図５】
2007113191.tif 000007
【図６】
2007113191.tif 000008
【図７】
2007113191.tif 000009
【図８】
2007113191.tif 000010
【図９】
2007113191.tif 000011
【図１０】
2007113191.tif 000012